(57)【要約】【課題】バッテリを必要としない電気的な表示手段を備えたつり革を提供する。【解決手段】発電部２からベルト部３を引き出して表示部４を取り付け、ベルト部３の運動を発電部２が電力に変換して表示部４を駆動し、各種情報を表示する。【選択図】図１
2011170124.tif 000002
【特許請求の範囲】
【請求項１】
ベルト部の運動を発電源とする発電部と、
発電部の発電電力を駆動電源とする表示部と、
を備えて乗客への情報提供媒体としたことを特徴とするつり革。
【請求項２】
前記表示部をつり革とつり革の間に吊り下げて乗客の目線の先に来るようにしたことを特徴とする請求項１記載のつり革。
【請求項３】
前記発電部の発電量を表示部に表示したことを特徴とする請求項１記載のつり革。
【請求項４】
受信回路を備えて無線配信されたデータで前記表示部に表示するデータを入れ替えることを特徴とする請求項３記載のつり革。
【請求項５】
固体メモリを交換して前記表示部に表示するデータを入れ替えることを特徴とする請求項１記載のつり革。
【請求項６】
セレクトボタンを備えて前記表示部に表示するデータを選択可能にしたことを特徴とする請求項１記載のつり革。
【請求項７】
ジャイロセンサを備えて前記ベルト部の方向角度を測定し、
これより前記表示部に表示したゲームの進行を制御可能にしたことを特徴とする請求項１記載のつり革。
【請求項８】
携帯電話感受装置を備えて携帯電話の電波をキャッチし、
これより近傍の前記表示部に警告メッセージを表示したことを特徴とする請求項１記載のつり革。
【発明の詳細な説明】
【技術分野】
【０００１】
本発明は、電気的な表示手段（ディスプレイ）を備えて電車やバスの乗客に広告などの情報を提供するつり革に関する。
【背景技術】
【０００２】
つり革を車内広告媒体として利用する場合、中吊ポスターに比べつり革の数が圧倒的に多いので広告内容を変更する際、ポスターの入れ替えに多大な労力と時間を要する。そのため特許文献１には、つり革にディスプレイを取り付けて無線配信された広告を表示する情報表示システムが提案されている。この情報表示システムは、図６に示すように、つり革表示器５をつり革のベルト部５１に固定し、つり革表示器５にバッテリ５２を備え、バッテリ５２の電力でつり革表示器５を駆動する。つり革表示器５の前面には、広告情報Ｄａを電気的に表示するためのディスプレイ５３と、外部装置と無線によるデータ通信を行うための通信部５４とが配置されている。
【０００３】
上記情報表示システムは、通信部５４が無線によって取得した広告情報Ｄａをつり革のディスプレイ５３に電気的に表示するので、従来のようにつり革のポスターを人手で入れ替える手間がなくなる。しかしながらディスプレイ５３の駆動電源をバッテリ５２から得ているため、バッテリ切れが発生すると表示ができなくなる。そのためバッテリ切れにならないよう、定期的にバッテリ交換する必要が生じ、そのために多くの手間暇が掛かり、電子化の効果が半減する。
【先行技術文献】
【特許文献】
【０００４】
【特許文献１】特開２００８−１３９６１６号公報
【発明の概要】
【発明が解決しようとする課題】
【０００５】
解決しようとする問題点は以上のような点であり、本発明は、バッテリを必要としない電気的な表示手段を備えたつり革を提供することを目的になされたものである。
【課題を解決するための手段】
【０００６】
そのため本発明は、ベルト部の運動を発電源とする発電部と、発電部の発電電力を駆動電源とする表示部とを備えて乗客への情報提供媒体としたことを最も主要な特徴とする。
【発明の効果】
【０００７】
本発明は、ベルト部の運動を発電源とする発電部と、発電部の発電電力を駆動電源とする表示部を備えるのでバッテリなしに表示部を駆動できる。そのためバッテリ交換の必要がなくなり、バッテリ交換に要する手間暇を削減し、電子化の効果を大いに発揮できる。
【図面の簡単な説明】
【０００８】
【図１】本発明を実施したつり革の正面図である。
【図２】表示部３の吊り下げ位置の変形例である。
【図３】発電部２の機構図の一例である。
【図４】発電部２の機構図その他の例である。
【図５】発電部２と表示部３のブロック図である。
【図６】つり革表示器の従来例である。
【発明を実施するための形態】
【０００９】
以下、本発明の実施の形態について説明する。
【００１０】
図１に、本発明を実施したつり革の正面図を示す。
つり革１は、発電部２からベルト部３を引き出して表示部４を取り付け、ベルト部３の運動を発電部２が電力に変換して表示部４を駆動し、各種情報を表示する。
【００１１】
表示部４は、図２に示すように、つり革１に一体に取り付けるのではなく、つり革１とつり革１の間に吊り下げてもよい。これにより、乗客の目線の先に表示部４が来るようにして表示データを見やすくする。表示部４は、例えば液晶ディスプレイのほかプラズマディスプレイ、有機ＥＬまたは電子ペーパーなどで、種類は問わない。
【００１２】
図３に、発電部２の機構図の一例を示す。この発電部２はベルト部３の運動を回転運動に変えて発電するもので、ドラムＤの同軸に左右の原動ギアＧ１、Ｇ２を配置し、原動ギアＧ１に発電機Ｅの入力ギアＵを歯合する。また、原動ギアＧ１には伝動ギアＴ１を歯合し、伝動ギアＴ１と軸が一体の伝動ギアＴ２に方向変換ギアＶを間に挟んで原動ギアＧ２を歯合する。ドラムＤにはぜんまいばねＳを内蔵し、ドラムＤの外周にベルト部３を巻き付ける。原動ギアＧ１、Ｇ２の内周には互いに逆方向のラチェット歯ａを形成し、ドラムＤと一体の左右のアームＡ１、Ａ２の先端に互いに逆方向の左右一対の爪Ｐ１、Ｐ２を回転自在にピン結合する。
【００１３】
以上のような構成で、ベルト部３を引っ張るとドラムＤが回転し、一方の爪Ｐ１は遠心力で外側に倒れ、原動ギアＧ１のラチェット歯ａに食い込んで原動ギアＧ１がドラムＤと一体に図のＡ矢方向に回転する。他方の爪Ｐ２は遠心力で内側に倒れ、原動ギアＧ２のラチェット歯ａの傾斜面を滑って歯合せず空回りする。
【００１４】
ベルト部３を緩めるとぜんまいばねＳの復元力でドラムＤが反対方向に回転し、一方の爪Ｐ１は遠心力で内側に倒れ、原動ギアＧ１のラチェット歯ａの傾斜面を滑って歯合せず空回りする。他方の爪Ｐ２は遠心力で外側に倒れ、原動ギアＧ２のラチェット歯ａに食い込んで原動ギアＧ２がドラムＤと一体に図のＢ矢方向に回転する。
【００１５】
原動ギアＧ２の回転は方向変換ギアＶを介して伝動ギアＴ２に伝わり、伝動ギアＴ２の回転は軸が一体の伝動ギアＴ１に伝わる。伝動ギアＴ１の回転は原動ギアＧ１に伝わり、原動ギアＧ１の回転を図のＡ矢方向に付勢する。これにより原動ギアＧ１は常時一方向に回転する構成になる。
【００１６】
原動ギアＧ１の一方向の回転は入力ギアＵを介して発電機Ｅに伝わり、発電機Ｅが発電する。この発電部２はドラムＤの一方向の回転だけでなく、逆方向の回転も一方向に変換して原動ギアＧ１に伝達するので入力ギアＵのトルクが増し、発電機Ｅの発電効率が向上する。なお、発電機Ｅの発電量を表示部４に表示することで乗客のベルト部３を引っ張る力を競うアミューズメントなどに利用してもよい。
【００１７】
図４に、発電部２の機構図のその他の例を示す。この発電部２はコイルに磁石を出し入れすると誘導電流が流れる原理を応用したもので、ドラムＤの同軸に原動ギアＸを一体に取り付け、原動ギアＸに増速ギアＹを歯合する。ドラムＤにはぜんまいばねＳを内蔵し、ドラムＤの外周にベルト部３を巻き付ける。増速ギアＹの軸にはレバーＬを一体に取り付け、レバーＬの先端にロッドＲの一端を回転自在にピン結合し、ロッドＲの他端を磁石部Ｍの下端部に回転自在にピン結合する。磁石部Ｍの外周はコイルＣで取り囲む。
【００１８】
磁石部Ｍは、軸Ｍ１を中心に同心上にスペーサＭ２で一定の間隔を空けて近接配置した多数の環状磁石Ｍ３を串刺し状に取り付け、環状磁石Ｍ３は隣接する磁石の極性Ｓ、Ｎが交互に異なるように配置する。
【００１９】
以上のような構成で、ベルト部３を引っ張るとドラムＤが回転し、原動ギアＸがドラムＤと一体に図のＡ矢方向に回転する。原動ギアＸの回転は増速ギアＹに伝わり、増速ギアＹが回転するとレバーＬが円運動し、ロッドＲに回転自在に連結した磁石部Ｍが上下の往復運動を繰り返す。
【００２０】
ベルト部３を緩めるとぜんまいばねＳの復元力でドラムＤが反対方向に回転し、原動ギアＸがドラムＤと一体に図のＢ矢方向に回転する。原動ギアＸの回転は増速ギアＹに伝わり、増速ギアＹが回転するとレバーＬが逆方向に円運動し、ロッドＲに回転自在に連結した磁石部Ｍが同様に上下の往復運動を繰り返す。磁石部ＭがコイルＣ内を往復運動するとコイルＣに誘導電流が流れ、発電部２が発電する。以上は発電機構の一例であって、この他、圧電素子や絶縁材料を使って振動発電するものなどでもよく、これにより本発明の発電機構を限定するものでない。
【００２１】
図５に、発電部２と表示部４のブロック図を示す。
発電部２は、発電電流を整流回路２１で整流していったん２次電池２２に充電し、それを表示部４に供給する。
表示部４は、ＣＰＵ４０がＲＯＭ４１に格納した制御プログラムをＲＡＭ４２にロードして実行し、ＳＤカードやＣＦカードなどの着脱可能な固体メモリ４３から読み出した表示データをドライバ４４を介してディスプレイ４５に表示する。表示データは固体メモリ４３自体を交換して入れ替えてもよく、固体メモリ４３はそのままで中身を受信機４６が無線受信して入れ替えてもよい。
【００２２】
また、セレクトボタン４７を接続して外縁部の上下左右ボタンでカーソル移動、真ん中の決定ボタンでメニュー選択し、乗客の好みに応じて表示データを切換えることができるようにしてもよい。
【００２３】
また、ジャイロセンサ４８を内蔵してベルト部３の方向角度を測定し、表示部４に表示したゲームの３次元コントローラとして使用できるようにしてもよい。
【００２４】
また、本出願人が既に製造・販売している携帯電話感受装置４９を内蔵して携帯電話の電波をキャッチし、携帯電話使用者の近傍に吊り下げたつり革１の表示部４に警告メッセージを表示するようにしてもよい。
【符号の説明】
【００２５】
１        つり革
２        発電部
２１      整流回路
２２      ２次電池
３        ベルト部
４        表示部
４０      ＣＰＵ
４１      ＲＯＭ
４２      ＲＡＭ
４３      メモリカード
４４      ドライバ
４５      ディスプレイ
４６      受信機
４７      セレクトボタン
４８      ジャイロセンサ
４９      携帯電話感受装置
５        つり革表示器
５１      ベルト部
５２      バッテリ
５３      ディスプレイ
５４      通信部
Ａ        アーム
Ｃ        コイル
Ｄ        ドラム
Ｄａ      広告情報
Ｅ        発電機
Ｇ        原動ギア
Ｌ        レバー
Ｍ        磁石部
Ｍ１      軸
Ｍ２      スペーサ
Ｍ３      環状磁石
Ｐ        爪
Ｒ        ロッド
Ｓ        ぜんまいばね
Ｔ        伝動ギア
Ｕ        入力ギア
Ｖ        方向変換ギア
Ｘ        原動ギア
Ｙ        増速ギア
ａ        ラチェット歯
【図１】
2011170124.tif 000003
【図２】
2011170124.tif 000004
【図３】
2011170124.tif 000005
【図４】
2011170124.tif 000006
【図５】
2011170124.tif 000007
【図６】
2011170124.tif 000008